(57)【特許請求の範囲】
【請求項１】
ともに円筒形であって端部にフランジを形成した、第１スリーブと第２スリーブとで構成され、前記第１スリーブの円筒外周面にねじ部を形成するとともに、前記第２スリーブの円筒内周面に前記ねじ部に螺合するねじ部を形成し、第１スリーブまたは第２スリーブどちらかのフランジをスリーブの円周方向に回動可能とし、前記第１スリーブもしくは前記第２スリーブのどちらかの前記ねじ部を、先端部分の数山で形成するようにしたものであって、内筒側の前記ねじ部のねじ山を、軸方向から見た場合に前記ねじ部が重ならないように前記ねじ山が欠けた不連続なねじとした換気用スリーブ。
【請求項２】
ともに円筒形であって端部にフランジを形成した、第１スリーブと第２スリーブとで構成され、前記第１スリーブの円筒外周面にねじ部を形成するとともに、前記第２スリーブの円筒内周面に前記ねじ部に螺合するねじ部を形成し、第１スリーブまたは第２スリーブどちらかのフランジをスリーブの円周方向に回動可能としたものであって、前記第１スリーブ、前記第２スリーブのそれぞれのスリーブ部端部に、それぞれのねじ山の開始位置が一致するマークを設けた換気用スリーブ。
【請求項３】
ともに円筒形であって端部にフランジを形成した、第１スリーブと第２スリーブとで構成され、前記第１スリーブの円筒外周面にねじ部を形成するとともに、前記第２スリーブの円筒内周面に前記ねじ部に螺合するねじ部を形成し、第１スリーブまたは第２スリーブどちらかのフランジをスリーブの円周方向に回動可能としたものであって、前記第１スリーブの前記フランジ側の円筒外周に孔用リブを設けた換気用スリーブ。
【請求項４】
ともに円筒形であって端部にフランジを形成した、第１スリーブと第２スリーブとで構成され、前記第１スリーブの円筒外周面にねじ部を形成するとともに、前記第２スリーブの円筒内周面に前記ねじ部に螺合するねじ部を形成し、第１スリーブまたは第２スリーブどちらかのフランジをスリーブの円周方向に回動可能としたものであって、屋外側の前記フランジを前記スリーブの円周方向に回動可能とし、屋外フードに前記スリーブ端部に当たる押さえリブを設けた換気用スリーブ。
【発明の詳細な説明】
【技術分野】
【０００１】
本発明は、建物の壁に施工され、屋内側と屋外側を連通する換気経路を形成する換気用スリーブに関するものである。
【背景技術】
【０００２】
例えば、この種の換気用スリーブは次のような構成となっていた。
【０００３】
即ち、硬質塩化ビニル管等の樹脂管の一端に略垂直方向に張出したフランジ部を備えた通気パイプとこのパイプに挿入される気密ラバーで構成されている。そして、この施工方法は、建物の壁に開口した換気口にこの通気パイプを挿入し、フランジ部を壁に固定してから、反対側から気密ラバーを挿入して換気用のスリーブとしていた（特許文献１参照）。
【先行技術文献】
【特許文献】
【０００４】
【特許文献１】特開平９―１７７２９９号公報
【発明の概要】
【発明が解決しようとする課題】
【０００５】
このような換気用スリーブで問題となるのは、壁の厚みに合わせてスリーブの長さを調節しなければならないということである。
【０００６】
すなわち、壁の厚みはそれぞれの建物によって異なり、また建物でも壁の場所によって厚みが異なることがある。従って、施工部分の換気口の壁の厚みを測定してパイプを事前に裁断しておくか、一端のフランジ部を固定したのち他方で壁から突き出したパイプを切断しなければならない。
【０００７】
そこで本発明は、上記従来の課題を解決するものであり、パイプ切断の工数を削減し、簡単に建物の壁に施工できる、屋内側と屋外側を連通する換気経路を形成する換気用スリーブを提供するものである。
【課題を解決するための手段】
【０００８】
そして、この目的を解決するために、本発明は、ともに円筒形であって端部にフランジを形成した、第１スリーブと第２スリーブとで構成され、前記第１スリーブの円筒外周面にねじ部を形成するとともに、前記第２スリーブの円筒内周面に前記ねじ部に螺合するねじ部を形成し、第１スリーブまたは第２スリーブどちらかのフランジをスリーブの円周方向に回動可能としたものであり、これにより所期の目的を達成するものである。
【発明の効果】
【０００９】
本発明によれば、端部にフランジを形成した、第１スリーブと第２スリーブとで構成され、前記第１スリーブの円筒外周面にねじ部を形成するとともに、前記第２スリーブの円筒内周面に前記ねじ部に螺合するねじ部を形成したことにより、第１スリーブと第２スリーブを螺合していくと第２スリーブの内側にスリーブが挿入されていくので、パイプを切断することなく屋内側と屋外側を連通する換気経路が形成され、換気用スリーブを簡単に建物の壁に施工することができるという効果を得ることができる。
【図面の簡単な説明】
【００１０】
【図１】本発明の第１の実施の形態の換気装置の斜視図
【図２】同換気装置の分解斜視図
【図３】同換気装置の断面図
【図４】同換気装置の第２スリーブの円筒部を示す斜視図
【図５】本発明の第２の実施の形態の換気装置の断面図
【図６】本発明の第３の実施の形態の換気装置の斜視図
【図７】同換気装置の断面図
【発明を実施するための形態】
【００１１】
本発明の換気用スリーブは、ともに円筒形であって端部にフランジを形成した、第１スリーブと第２スリーブとで構成され、前記第１スリーブの円筒外周面にねじ部を形成するとともに、前記第２スリーブの円筒内周面に前記ねじ部に螺合するねじ部を形成し、第１スリーブまたは第２スリーブどちらかのフランジをスリーブの円周方向に回動可能とした構成を有する。これにより、第１スリーブと第２スリーブを螺合していくと第２スリーブの内側にスリーブが挿入され、屋内側と屋外側を連通する換気経路が形成され、換気用スリーブを簡単に建物の壁に施工することができるという効果を奏する。
【００１２】
また、回動可能なフランジを構成したスリーブに、手でスリーブを回転させる取っ手を設けた構成を有する。これにより、第１スリーブと第２スリーブを螺合する際に取っ手を保持してスリーブを回転させることができるので、簡単に換気用スリーブを換気口に施工することができ、換気用スリーブを簡単に建物の壁に施工することができるという効果を奏する。
【００１３】
また、第１スリーブもしくは第２スリーブのどちらかのねじ部を、先端部分の数山で形成するようにした構成を有する。これにより、第１スリーブと第２スリーブは常に螺合するねじ部の長さが同じであるため回動させる力が一定となり、換気用スリーブを簡単に建物の壁に施工することができるという効果を奏する。
【００１４】
また、内筒側のねじ部のねじ山は、軸方向から見た場合にねじ部が重ならないようにねじ山が欠けた不連続なねじとした構成を有する。これにより、内筒側のねじを成形する成形する金型はスライド構造を設けず作成することができ、簡単な金型で第２スリーブを成形することができ、換気用スリーブを簡単に建物の壁に施工することができるという効果を奏する。
【００１５】
また、第１スリーブ、第２スリーブのそれぞれのスリーブ部端部に、それぞれのねじ山の開始位置が一致するマークを設けた構成を有する。これにより、第１スリーブのスリーブ部端部の第１マークと第２スリーブのスリーブ部端部の第２マークをあわせ、そしてスリーブを回転させればそれぞれのねじがスムーズに螺合していくので、簡単に換気用スリーブを換気口に施工することができ、換気用スリーブを簡単に建物の壁に施工することができるという効果を奏する。
【００１６】
また、第１スリーブを壁に開口した換気口の屋内側に配置し、第１スリーブと第２スリーブの内周面の下部が屋外側に向かい下り勾配となる傾斜を設けた構成を有する。これにより、屋内側又は屋外側から第１スリーブ内に侵入した水は室外側に向かい下り勾配となる傾斜により、第１スリーブ端部から第２スリーブ内に流れ、さらに第２スリーブでも設けた勾配により屋外側に向かい下り勾配となる傾斜により、第２スリーブ端部から屋外へ排水され、換気用スリーブを簡単に建物の壁に施工することができるという効果を奏する。
【００１７】
また、第１スリーブのフランジ側の円筒外周に孔用リブを設けた構成を有する。これにより、第１スリーブを挿入する際に、壁に開口した換気口に孔用リブが当たって第１スリーブが位置決めされ、円筒部が換気口の中央に位置してその周囲に第２スリーブを螺合するための隙間を確保することができ、換気用スリーブを簡単に建物の壁に施工することができるという効果を奏する。
【００１８】
また、第１スリーブのフランジ部を回動可能とし、第２スリーブのフランジを壁面に固定する構成を有する。これにより、第２スリーブの外径に合わせて壁に換気口となる孔をあけ、第２スリーブのフランジを壁面に固定すれば、第２スリーブの外径より第１スリーブの外径は小さく、第２スリーブのフランジ固定壁面の反対側の壁面から簡単に第１スリーブを施工することができ、換気用スリーブを簡単に建物の壁に施工することができるという効果を奏する。
【００１９】
また、屋外側のフランジに壁面から突出した水切り部を設けた構成を有する。これにより、この水切り部が下側に位置するように施工すると、屋外側フランジを伝う雨水が水切部へと伝い、壁面から離れて滴下することになるので、汚れた水による壁面の汚れを低減する、換気用スリーブを簡単に建物の壁に施工することができるという効果を奏する。
【００２０】
また、屋外側の壁面にあるフランジに係合する屋外フードを設けた構成を有する。これにより、換気用スリーブを換気口に施工したあと、屋外フードを屋外側の壁面にあるフランジに係合すれば、屋外フードが雨を遮り、屋外からの雨水が換気用スリーブ内に浸入することを防止することができ、換気用スリーブを簡単に建物の壁に施工することができるという効果を奏する。
【００２１】
また、屋外フード、又は屋外フードとフランジを金属製とした構成を有する。これにより、紫外線による強度劣化を防止され、また施工時のねじ締めなど外的負荷に対する強度が向上し、換気用スリーブを簡単に建物の壁に施工することができるという効果を奏する。
【００２２】
また、屋外側のフランジをスリーブの円周方向に回動可能とし、屋外フードにスリーブ端部に当たる押さえリブを設けた構成を有する。これにより、屋外フードを壁に固定すると、屋外側フードの押さえリブが屋外側のスリーブ端部に当たっているので、第１スリーブと第２スリーブのネジが緩んで、スリーブが屋外側に出てくることを防止し、換気用スリーブを簡単に建物の壁に施工することができるという効果を奏する。
【００２３】
以下、本発明の実施の形態について図面を参照しながら説明する。
【００２４】
（実施の形態１）
図１に示すように、建物の壁１に換気口となる孔２が開口されており、屋内３と屋外４はこの孔２により連通している。そして、この孔２に換気用スリーブ５が施工されている。
【００２５】
図２、図３、図４に示すように、この換気用スリーブ５は、第１円筒部６ａの端部に第１フランジ６ｂを形成した第１スリーブ６と、第２円筒部７ａと第２フランジ７ｂとで構成される第２スリーブ７とで構成される。前記第２円筒部７ａの一端部の外周には突出縁８を形成するとともに取っ手９を形成し、前記第２フランジ７ｂに前記第２円筒部７ａに嵌り合う円形の第２フランジ内孔１０を形成している。
【００２６】
前記第１スリーブ６の第１円筒部６ａの外周面にはねじ部６ｃが形成されるとともに、前記第２スリーブ７の第２円筒部７ａの内周面にはねじ部７ｃが形成されており、このねじ部６ｃとねじ部７ｃは螺合し、前記第１スリーブ６が内側、第２スリーブ７が外側となる。前記ねじ部６ｃは第１円筒部６ａ外周面に長さＬ１に渡って形成されるが、前記ねじ部７ｃは第２円筒部７ａの内周面の一端部に１〜５ねじ山ピッチ程度のねじ部長さＬ２に形成される。
【００２７】
前記ねじ部７ｃを形成するねじ山１１は、第２円筒部７ａの軸１２方向から見た場合にねじ部７ｃが重ならないようにねじ山１１は欠けていて、ねじ山１１ａ、１１ｂ・・と不連続なねじ部となっている。
【００２８】
前記第１スリーブ６の第１円筒部６ａのねじ山開始位置と前記第２スリーブ７の第２円筒部７ａのねじ山１１開始位置が一致する位置には、第１マーク１３と第２マーク１４を一致させて設ける。
【００２９】
前記第１スリーブ６の第１円筒部６ａの内周部はなだらかな円錐形状であり、下部１５は屋外側に向かい下り勾配θの傾斜を有する。同様に、第２スリーブ７の第２円筒部７ａの内周部もなだらかな円錐形状であり、屋外側に向かい下り勾配θ同等の傾斜を有する。
【００３０】
前記第１スリーブ６の第１円筒部６ａの第１フランジ６ｂ側の外周には孔用リブ１６を設ける。この孔用リブ１６は第１円筒部６ａの外周にほぼ均等に数箇所形成され、孔用リブ１６の外周寸法Ｄ１は、第２円筒部７ａの外周寸法Ｄ２よりも大きい。また、第１フランジ６ｂには壁１にねじ止めするためのねじ孔１７が設けてある。
【００３１】
上記構成において、第２フランジ７ｂの第２フランジ内孔１０を第２円筒部７ａに通すと、第２フランジ７ｂは第２円筒部７ａの周りを回動し、突出縁８により通した反対側の端部から抜け出ることはなく、フランジがスリーブの円周方向に回動可能な第２スリーブ７となる。
【００３２】
壁１に開口された換気口となる孔２の孔径は孔用リブ１６の外周寸法Ｄ１であり、本実施の形態では屋内側から第１スリーブ６を孔２に挿入し、第１フランジ６ｂに設けたねじ孔１７を使い、ねじ（図省略）で第１フランジ６ｂを壁１に固定する。この状態で、第１スリーブ６の第１円筒部６ａはその外周に数箇所形成された孔用リブ１６により、孔２の一方に偏ることなく、ほぼ孔２の中央部に位置する。つまり、第１円筒部６ａの外周と孔２には孔用リブ１６の高さ分の空間が形成されていることになる。
【００３３】
なお、図示しないが、この孔用リブ１６の第１フランジ６ｂ側に切り込みを設け、孔用リブ１６の径方向の高さを調整できるようにすると良い。すなわち、孔用リブ１６は、第１フランジ６ｂと第１円筒部６ａとに接するように設けられているが、第１フランジ６ｂと接する部分に外周方向から切り込みを入れておく。このような構成であれば、孔用リブ１６の外周側は折ったり、切り取って、その外周側の頂点と第１円筒部６ａの中心軸からの距離を変えることができる。従って、建物の壁１設けた孔２の開口寸法に多少狂いが生じてもガタツキの無い換気用スリーブ５の施工が可能となる。
【００３４】
前記第２スリーブ７は屋外から挿入する。このとき、第２スリーブ７の第２マーク１４を第１スリーブ６の第１マーク１３と一致するように挿入し、取っ手９を使って第２円筒部７ａを回転させると、第２円筒部７ａのねじ山１１の開始位置と第１円筒部６ａのねじ山開始位置が一致しているので、回転とともに螺合する。すなわち、第２マーク１４と第１マーク１３はねじの位置を合わせるもので、空回りさせることなく螺合させることができる。そして、第２円筒部７ａの回転を続けると、第２スリーブ７の内側に第１スリーブ６が挿入されていき、すなわち第１円筒部６ａの外周と孔２には孔用リブ１６の高さ分の空間部に第２スリーブ７が孔２に当たることなく収納されていき、第２フランジ７ｂが壁１にあたって突出縁８と壁１ではさまれて保持されると、屋内３側と屋外４側を連通する換気経路が形成され、換気用スリーブを簡単に建物の壁に施工することができる。
【００３５】
なお、取っ手９は、突出縁８に数本の角柱を突き出すようにして形成したが、円柱状でもよく、第２スリーブ７が手で回転させやすいものであれば構わない。また、第２スリーブ７に契合する回転冶具を別品とし用意し、この回転冶具を第２スリーブ７に嵌めて回転させるようにしてもよい。
【００３６】
第１スリーブ６と第２スリーブ７の長さは一般的に想定される壁厚みのうち最も薄い壁の幅寸法にあわせて施工できるように設定すればよい。そうすると、それよりも厚い壁であっても第２スリーブ７が螺合できる範囲までの厚みに対応できる。具体的には、第１スリーブ６の寸法は９０ｍｍ程度であり、１００〜１５０ｍｍの壁厚に対応できる。
【００３７】
第１スリーブ６と第２スリーブ７の長さ寸法は同じにしなくても構わないが、壁厚に対応できる範囲は少なくなる。しかし、薄い壁に設置されるケースが少ないと判断できれば、第１スリーブ６の長さは一般的に想定される壁厚みのうち最も薄い壁の幅寸法よりも長くしておき、第２スリーブ７の長さ寸法をその壁厚とほぼ同じにしておくとよい。数少ない薄い壁に施工する場合は、現場で第１スリーブ６を切断すれば同じように施工することができる。
【００３８】
また、第２スリーブ７のねじ部７ｃの長さＬ２は第２円筒部７ａの内周面の一端部に１〜５ねじ山ピッチ程度で形成されている。したがって、第１スリーブ６の第１円筒部６ａ外周面に長さＬ１に渡って形成されたねじ部６ｃの範囲で第２スリーブ７は移動するが、螺合するねじ部の長さが同じであるため回動させる力が一定であり、施工性がよい。
【００３９】
また、ねじ部７ｃを形成するねじ山１１は、ねじ山１１ａ、１１ｂ・・と不連続なねじ部で形成し、軸１２方向から見た場合にねじ部７ｃのねじ山１１ａ、１１ｂ・・が重ならないので、第２円筒部７ａを金型で成形する場合には、金型のスライド方向を軸１２方向にすれば、たとえばスライドコアーなどの複雑な金型構成を講じる必要もなく、安価に第２円筒部７ａを成形することができる。
【００４０】
また、上記構成において、前記第１スリーブ６の第１円筒部６ａの内周部の下部１５は屋外側に向かい下り勾配θの傾斜を有し、同様に、第２スリーブ７の第２円筒部７ａの内周部も屋外側に向かい下り勾配θ同等の傾斜を有するので、これにより、屋内３側又は屋外４側から第１スリーブ６内に侵入した水は室外側に向かい下り勾配となる傾斜により、第１スリーブ６端部から第２スリーブ７内に流れ、さらに第２スリーブ７の第２円筒部７ａの内周部に設けられた勾配により、屋外側に向かい下り勾配となる傾斜により、第２スリーブ端部から屋外へ排水されることになる。
【００４１】
（実施の形態２）
図５に示すように、建物の壁１に換気口となる孔２が開口されており、屋内３と屋外４はこの孔２により連通している。そして、この孔２に換気用スリーブ５が施工されている。
【００４２】
この換気用スリーブ５は、第１円筒部１８ａの端部に第１フランジ１８ｂを形成した第１スリーブ１８と、第２円筒部１９ａと第２フランジ１９ｂとで構成される第２スリーブ１９とで構成される。前記第２円筒部１９ａの一端部の外周には突出縁２０を形成するとともに取っ手２１を形成し、前記第２フランジ１９ｂに前記第２円筒部１９ａに嵌り合う円形の第２フランジ内孔２２を形成している。そして、前記第１スリーブ１８の第１円筒部１８ａの内周面にはねじ部１８ｃが形成されるとともに、前記第２スリーブ１９の第２円筒部１９ａの外周面にはねじ部１９ｃが形成されており、このねじ部１８ｃとねじ部１９ｃは螺合し、前記第１スリーブ６が外側、第２スリーブ７が内側の２重となった換気用スリーブ５が構成される。また、第１フランジ１８ｂはネジ５１により壁１に固定されている。
【００４３】
上記構成において、第１スリーブ１８の第１円筒部１８ａの外径Ｄ３に合わせて壁１に換気口となる孔２をあけ、第１スリーブ１８の第１フランジ１８ｂを壁１にネジ５１により固定すれば、第１スリーブの第１円筒部１８ａの外径Ｄ３より第２スリーブ１９の外径Ｄ４は小さいので、第１スリーブ１８の第１フランジ１８ｂを固定する壁面の反対側の壁面から簡単に第２スリーブ１９を施工することができ、換気用スリーブ５を簡単に建物の壁に施工することができるという効果を奏する。さらに、第１スリーブ１８を壁に固定する際に孔２から塵埃やコンクリ粒などの落下物が発生しても、ねじ部１８ｃが第１円筒部１８ａで覆われているため、落下物がねじ部１８ｃに付着しないので、第２スリーブ１９の第２円筒部１９ａのねじ部１９ｃを螺合していくときに落下物による支障が発生しにくくなるという効果を奏する。
【００４４】
（実施の形態３）
図６、図７において、図２および図３と同様の構成要素については同一の符号を付し、その詳細な説明は省略する。
【００４５】
図６、図７に示すように、屋外フード２３は第２フランジ７ｂとほぼ大きさが同じ鍔部２４を有し、鍔部２４の中央には開口２５があり、この開口２５はカバー部２６で屋外４側が覆われ、このカバー部２６の下側に格子状の下部開口部２７が形成してある。すなわち、屋外フード２３は風路がＬ字状のエルボ形状であり、水平方向の開口２５と垂直方向の下部開口部２７が連通している。
【００４６】
第２フランジ７ｂの上部には屋外４側にむかって突出した屋外フード掛け爪２８を設け、また第２フランジ７ｂの下部には、壁面から突出した水切り部２９と第２フランジ７ｂを固定するためのねじ孔３０が設けてある。屋外フード２３の上部には、屋外フード掛け爪２８が嵌るフード掛け部３１を形成し、屋外フード２３の下部には、ねじ孔３０に一致するところにフード固定孔３２が設けてある。また、屋外フード２３のカバー部２６内部には、屋外フード２３を第２フランジ７ｂに取付けたとき、その先端位置が第２円筒部７ａの屋外側面３３に一致するように形成した押さえリブ３４を設ける。
【００４７】
また、屋外フード２３、又は屋外フード２３と第２フランジ７ｂを鉄製などの金属で製作したものである。
【００４８】
上記構成において、第２円筒部７ａを回転させて、第２スリーブ７の内側に第１スリーブ６が挿入され、第２フランジ７ｂは、突出縁８と壁１ではさまれて保持されると屋内側と屋外側を連通する換気経路が形成される。このとき第２フランジ７ｂは回転可能であるので、屋外フード掛け爪２８が最上部になるように位置を調整しておく。そして、この屋外フード掛け爪２８にフード掛け部３１を引っ掛けて屋外フード２３を取り付け、フード固定孔３２とねじ孔３０とをネジ５２で壁１に固定する。このように、換気用スリーブを簡単に建物の壁に施工し、屋外フードを簡単に取付けることができる。そして、下部開口部２７が下向きに開口しているので、カバー部２６が雨を遮り、屋外４からの雨水が換気用スリーブ５内に浸入することを防止することができる。
【００４９】
また、屋外フード２３を壁１に固定すると、押さえリブ３４のその先端位置が第２フランジ７ｂの屋外側面３３に一致することになり、すなわち第２円筒部７ａの一端部の外周の突出縁８に当たることになるので、第１スリーブ６と第２スリーブ７の螺合状態が緩んで、第２スリーブ７が屋外４側に出てくることを防止するという効果を奏する。
【００５０】
また、壁面から突出した水切り部２９は下側に位置するように施工されるので、第２フランジ７ｂならびに屋外フード２３の鍔部２４を伝う雨水は水切り部２９へと伝って流れ、壁１面から離れた水切り部２９の最下部から滴下することになるので、第２フランジ７ｂの下側を集中して雨水が流れることによる壁面の汚れを低減する効果を奏する。
【００５１】
また、屋外４に露出する屋外フード２３、又は屋外フード２３と第２フランジ７ｂを鉄製で作成すると紫外線による材料の劣化をより軽減することができ、対候性が向上するもので、本実施の形態の屋外フード２３と第２フランジ７ｂは金属製であっても簡単に作成することができる。
【産業上の利用可能性】
【００５２】
本発明によれば、端部にフランジを形成した、第１スリーブと第２スリーブとで構成され、前記第１スリーブの円筒外周面にねじ部を形成するとともに、前記第２スリーブの円筒内周面に前記ねじ部に螺合するねじ部を形成したことにより、第１スリーブと第２スリーブを螺合していくと第２スリーブの内側にスリーブが挿入されていくので、パイプを切断することなく屋内側と屋外側を連通する換気経路が形成され、換気用スリーブを簡単に建物の壁に施工することができるという効果を得ることができるので、壁を貫通する換気装置のみならず、空気調和機などのダクト施工、配管施工に用いることができる。
【符号の説明】
【００５３】
１      壁
３      屋内
４      屋外
５      換気用スリーブ
６      第１スリーブ
６ａ    第１円筒部
６ｂ    第１フランジ
６ｃ    ねじ部
７      第２スリーブ
７ａ    第２円筒部
７ｂ    第２フランジ
７ｃ    ねじ部
９      取っ手
１３    第１マーク
１４    第２マーク
１５    下部
１６    孔用リブ
１８    第１スリーブ
１８ａ  第１円筒部
１８ｂ  第１フランジ
１８ｃ  ねじ部
１９    第２スリーブ
１９ａ  第２円筒部
１９ｂ  第２フランジ
１９ｃ  ねじ部
２１    取っ手
２３    屋外フード
２９    水切り部
３３    屋外側面
３４    押さえリブ
【図１】
0005556379.tif 000002
【図２】
0005556379.tif 000003
【図３】
0005556379.tif 000004
【図４】
0005556379.tif 000005
【図５】
0005556379.tif 000006
【図６】
0005556379.tif 000007
【図７】
0005556379.tif 000008